(57)【要約】【課題】ある映像コンテンツに対し、不特定多数のユーザーが投稿した付加コンテンツを映像コンテンツと同時に再生するＣＧＭサービスにおいて、家電機器ではリモコン操作のみの簡単なＵＩで特定の付加コンテンツが付与されたシーンのみを選択的に再生することが困難である。【解決手段】付加コンテンツの取得時に、所定の時間内に所定の数以上の付加コンテンツが集中している箇所等を解析し、条件に一致する付加コンテンツのみをのみを自動で再生する。【選択図】図２
2010010736.tif 000002
【特許請求の範囲】
【請求項１】
映像コンテンツを再生する映像コンテンツ再生装置であって、
前記映像コンテンツ再生装置は、一つまたは複数の付加コンテンツを含むＣＧＭ（Ｃｏｎｓｕｍｅｒ  Ｇｅｎｅｒａｔｅｄ  Ｍｅｄｉａ）情報を取得するＣＧＭ情報取得手段と、
前記ＣＧＭ情報取得手段が取得したＣＧＭ情報を解析し、前記取得したＣＧＭ情報から一つまたは複数の付加コンテンツを所定の方法で選択するＣＧＭ情報解析手段と、
前記所定の方法で選択された付加コンテンツを再生するＣＧＭ情報再生手段と、
本編の映像コンテンツを再生する映像コンテンツ再生手段を備え、
前記ＣＧＭ解析手段は、選択した付加コンテンツの再生に連動する本編コンテンツの再生を映像コンテンツ再生手段に指示するように構成したコンテンツ再生装置。
【請求項２】
前記ＣＧＭ情報解析手段は、リモコンによるスキップ再生の指示を受けたとき、
前記所定の方法により選択した付加コンテンツとは別の付加コンテンツを選択し、前記選択された付加コンテンツの再生を前記ＣＧＭ情報再生手段に指示するとともに、新たに選択した付加コンテンツの再生に連動する本編の映像コンテンツの再生を映像コンテンツ再生手段に指示するように構成したことを特徴とする映像コンテンツ再生装置。
【請求項３】
前記映像コンテンツ再生装置はさらに
前記ＣＧＭ再生手段によって再生された付加コンテンツの統計情報を計算するＣＧＭ再生情報集計手段と、映像コンテンツ再生装置の利用者が属するグループ情報を得るグループ情報取得手段とを備え、
前記ＣＧＭ情報取得手段は前記グループ情報と前記ＣＧＭ再生情報とを外部サーバへ送信する
ことを特徴とした請求項１乃至請求項３に記載の映像コンテンツ再生装置。
【請求項４】
前記所定の方法とは、所定の時間間隔に再生開始時刻が含まれる付加コンテンツが所定数以上集中する場合に、前記付加コンテンツを選択することを特徴とする請求項１乃至請求項３に記載の映像コンテンツ再生装置。
【請求項５】
前記所定の方法とは、付加コンテンツが所定の文字列情報を含む場合に、前記付加コンテンツを選択することを特徴とする請求項１乃至請求項３に記載の映像コンテンツ再生装置。
【請求項６】
前記所定の方法とは、付加コンテンツに含まれる投稿者情報が所定の投稿者と一致する場合に、前記付加コンテンツを選択することを特徴とする請求項１乃至請求項３に記載の映像コンテンツ再生装置。
【請求項７】
前記所定の方法とは、付加コンテンツのメディアタイプが所定のメディアタイプと一致する場合に、前記付加コンテンツを選択することを特徴とする請求項１乃至請求項３に記載の映像コンテンツ再生装置。
【請求項８】
前記所定の方法とは、付加コンテンツを含んだ本編の映像コンテンツの合計再生時間が所定の時間内に収まるように選択することを特徴とする
請求項１乃至請求項７に記載の映像コンテンツ再生装置。
【発明の詳細な説明】
【技術分野】
【０００１】
本発明は、映像コンテンツの視聴再生に伴って実施されるサービス実現技術に関する。
【背景技術】
【０００２】
近年のインターネット技術の普及により、専門の事業者が提供する従来型サービスだけでなく、エンドユーザー自身が直接情報を編集、投稿するようなユーザー参加型のサービスが普及している。このようなサービスを総称してＣＧＭ（Ｃｏｎｓｕｍｅｒ  Ｇｅｎｅｒａｔｅｄ  Ｍｅｄｉａ）と呼ぶ。ＣＧＭを利用したサービスの一例としてニコニコ動画がある。これは、あるユーザーが投稿した動画コンテンツに対し、複数のユーザーがその動画に対する字幕コメントを投稿し、元の動画コンテンツと投稿された字幕コメントを同時に再生するものである。
【０００３】
インターネット接続機能をもった家電機器の普及に伴い、家電機器からもこのようなＣＧＭサービスに参加することが考えられる。
【特許文献１】特許第３９４３６３５号公報
【発明の開示】
【発明が解決しようとする課題】
【０００４】
しかしながら、家電機器でＣＧＭサービスを再生するに際には、操作性が課題となる。ある動画コンテンツにコメントが付与されたコンテンツを再生する例を考えてみても、動画の全てのシーンに対してコメントがついていることは希で、通常はコメントが集中するシーンと全くコメントが付かないシーンとに分かれることが多い。このような場合、利用者としてはコメントがたくさん付与されているシーンを視聴したいと考える。何故ならば、コメントがたくさん付与されているシーンが多くのユーザーが何らかの点で興味を示していることを意味するからである。ＰＣで視聴する場合にはスクロールバーをマウスで操作する等の手段で比較的容易に自分が見たいシーンを選択することができるが、リモコンで全ての操作を実現する家電機器では簡単な操作でこれを実現できない。
【０００５】
特許文献１に記載されているコンピュータ制御型ディスプレイシステムは、コンピュータ制御型ディスプレイシステムの利用者が予め注目するポイントにインデックスをつけることで、後からインデックスが付けられた箇所を容易に再生することを可能にしている。しかし、ＣＧＭサービスにおいては、不特定多数のユーザーが随時コメント等の情報を付与するため、利用者がＣＧＭコンテンツを再生する度に付与されているコメント等が異なることが考えられる。そのため、事前に利用者がインデックスを付与するという方法では、随時更新されるコンテンツに対して追随することができない。
【０００６】
本発明は、端末のユーザーが複雑な操作をすることなく、簡単に視聴したいシーンだけを選択的に再生することができる映像コンテンツ再生装置を提供することを目的とする。
【課題を解決するための手段】
【０００７】
上記課題を解決するため本発明は、映像コンテンツを再生する映像コンテンツ再生装置であって、前記映像コンテンツ再生装置は、一つまたは複数の付加コンテンツを含むＣＧＭ（Ｃｏｎｓｕｍｅｒ  Ｇｅｎｅｒａｔｅｄ  Ｍｅｄｉａ）情報を取得するＣＧＭ情報取得手段と、前記ＣＧＭ情報取得手段が取得したＣＧＭ情報を解析し、前記取得したＣＧＭ情報から一つまたは複数の付加コンテンツを所定の方法で選択するＣＧＭ情報解析手段と、前記所定の方法で選択された付加コンテンツを再生するＣＧＭ情報再生手段と、本編の映像コンテンツを再生する映像コンテンツ再生手段を備え、前記ＣＧＭ解析手段は、選択した付加コンテンツの再生に連動する本編コンテンツの再生を映像コンテンツ再生手段に指示するように構成したことを特徴とする。
【発明の効果】
【０００８】
以上のように、本発明によれば、映像コンテンツを再生する映像コンテンツ再生装置であって、前記映像コンテンツ再生装置は、一つまたは複数の付加コンテンツを含むＣＧＭ（Ｃｏｎｓｕｍｅｒ  Ｇｅｎｅｒａｔｅｄ  Ｍｅｄｉａ）情報を取得するＣＧＭ情報取得手段と、前記ＣＧＭ情報取得手段が取得したＣＧＭ情報を解析し、前記取得したＣＧＭ情報から一つまたは複数の付加コンテンツを所定の方法で選択するＣＧＭ情報解析手段と、前記所定の方法で選択された付加コンテンツを再生するＣＧＭ情報再生手段と、本編の映像コンテンツを再生する映像コンテンツ再生手段を備え、前記ＣＧＭ解析手段は、選択した付加コンテンツの再生に連動する本編コンテンツの再生を映像コンテンツ再生手段に指示するように構成したので、不特定多数のユーザーが付与した付加コンテンツのうち、視聴者が興味のある付加コンテンツおよび付加コンテンツに連動して再生される本編の映像コンテンツの部分のみを自動的に再生することができる。
【０００９】
また、前記ＣＧＭ情報解析手段は、リモコンによるスキップ再生の指示を受けたとき、前記所定の方法により選択した付加コンテンツとは別の付加コンテンツを選択し、前記選択された付加コンテンツの再生を前記ＣＧＭ情報再生手段に指示するとともに、新たに選択した付加コンテンツの再生に連動する本編の映像コンテンツの再生を映像コンテンツ再生手段に指示するように構成したので、不特定多数のユーザーが付与した付加コンテンツのうち、視聴者が興味のある付加コンテンツのみをリモコンの簡単な操作で選択的に再生することができる。
【００１０】
また、前記映像コンテンツ再生装置はさらに、前記ＣＧＭ再生手段によって再生された付加コンテンツの統計情報を計算するＣＧＭ再生情報集計手段と、映像コンテンツ再生装置の利用者が属するグループ情報を得るグループ情報取得手段とを備え、前記ＣＧＭ情報取得手段は前記グループ情報と前記ＣＧＭ再生情報とを外部サーバへ送信することにより、映像コンテンツ再生装置の利用者が高い頻度で再生する付加コンテンツに関する情報をＣＧＭサービスサーバと共有すうことで、ＣＧＭサーバからユーザーにとって最適と思われる付加コンテンツを取得することができる。
【００１１】
また、前記所定の方法とは、所定の時間間隔に再生開始時刻が含まれる付加コンテンツが所定数以上集中する場合に、前記付加コンテンツを選択するので、ユーザーは多くの付加コンテンツが集中しているシーンのみを簡単に視聴することができる。
【００１２】
また、前記所定の方法とは、付加コンテンツが所定の文字列情報を含む場合に、前記付加コンテンツを選択することを特徴とすることで、ユーザーは特定の文字列を含む字幕が付与されたシーンのみを簡単に視聴することができる。
【００１３】
また、前記所定の方法とは、付加コンテンツに含まれる投稿者情報が所定の投稿者と一致する場合に、前記付加コンテンツを選択することで、ユーザーは特定のユーザーによって投稿された付加コンテンツが付与されたシーンのみを簡単に視聴することができる。
【００１４】
また、前記所定の方法とは、付加コンテンツのメディアタイプが所定のメディアタイプと一致する場合に、前記付加コンテンツを選択することで、特定の種類の付加コンテンツが付与されたシーンのみを簡単に視聴することができる。
【００１５】
また、前記所定の方法とは、付加コンテンツを含んだ本編の映像コンテンツの合計再生時間が所定の時間内に収まるように選択することにより、ユーザーは、所定の時間に収まるように本編の映像コンテンツを簡単にダイジェストで視聴することができる。
【発明を実施するための最良の形態】
【００１６】
以下本発明の実施の形態について、図面を参照しながら説明する。
【００１７】
（実施の形態１）
まず本発明に係る実施行為のうち、使用時の構成の例についての説明を行なう。
【００１８】
図１は、本発明に係る方式の使用行為についての構成の一例を示す図である。図１において、本発明に係る方式を採用するのはプレイヤー１０１である。このプレイヤー１０１は例えば、リモコン１０２、テレビ１０３により形成されるホームシアターシステムに、映画作品を供給するという用途に供される。ユーザーは、リモコン１０２、あるいはプレイヤー１０１を直接操作することによって、本発明のオペレーションを実施する。
【００１９】
図２は、本発明に示した方式を実現するための機能構成を示した図である。本発明を実施する場合の実現の例を説明する。
【００２０】
映像コンテンツ再生手段２０１は、映像コンテンツの再生を行なう。この時、再生の対象となる映像コンテンツは、複数の形態が考えられる。
【００２１】
第１に考えられる形態は、外部の映像コンテンツ記憶媒体２０２に記録された映像コンテンツのデータを映像コンテンツ再生手段２０１によって再生する場合である。例えば映像コンテンツ記憶媒体２０２がＤＶＤ、Ｂｌｕ−ｒａｙ  Ｄｉｓｃ等の光ディスクメディアであり、これらの媒体を再生プレイヤーによって再生する場合が本手段に相当する。図２では映像コンテンツ記憶媒体２０２はディスクの形状を示しているが、例えばＳＤカード、メモリースティックなど、不揮発性メモリを使用した挿入・抜き出し可能な他の記録媒体であってもよい。また、外付け方式のＨＤＤ、ネットワーク越しに接続された外部データを蓄積可能な機器・ＰＣ類など、接続・切断可能な他の記録媒体であってもよい。
【００２２】
第２に考えられる形態は、映像コンテンツ受信手段２０３によって受信された映像コンテンツのデータを映像コンテンツ再生手段２０１によって再生する場合である。映像コンテンツ受信手段２０３は、例えば地上波放送、衛星放送、ケーブルＴＶの有線等によって送信されてくる放送波、あるいは、インターネット等の外部ネットワークによって受信した映像コンテンツデータを、受信・デコードする仕組みが相当する。
【００２３】
第３に考えられる形態は、映像コンテンツ蓄積手段２０４に蓄積された映像コンテンツのデータを映像コンテンツ再生手段２０１によって再生する場合である。例えば映像コンテンツ記憶媒体２０２に記録されたデータを、映像コンテンツ蓄積手段２０４にコピーあるいは移動して保存したものを再生して視聴する場合、あるいは、映像コンテンツ受信手段２０３によって受信された映像コンテンツのデータを録画し、映像コンテンツ蓄積手段２０４に保存したものを再生して視聴する場合の仕組みが、本手段に相当する。映像コンテンツ蓄積手段２０４は、本発明の方式を採用した機器に組み込まれる、好適にはＨＤＤなどの記憶媒体によって実現される。もちろんＨＤＤ以外にも、映像コンテンツを記録し蓄積可能な記憶媒体であれば何でも良い。
【００２４】
ＣＧＭ情報取得手段２０５は、ＣＧＭサービスを提供するサービス事業者からＣＧＭ情報を受信するための手段である。ここでＣＧＭ情報とは、例えば字幕コメントの様に、もとのコンテンツ（以降、本編コンテンツと称する）に対してユーザーによって付与された追加のデータ（以降、付加コンテンツと称する）、及びその追加データをいつ、どのように再生するかを表す制御情報のことを指す。
【００２５】
ＣＧＭ情報取得手段２０５は、例えばＣＧＭサービスを提供するサーバからインターネットを介してＣＧＭ情報をダウンロードする仕組みが相当する。ＣＧＭ情報取得手段２０５は、好適にはインターネット上の外部サーバからＣＧＭ情報を受信するが、これ以外にも、ＳＤカードなどの着脱可能な不揮発性の記録媒体に記録されたＣＧＭ情報を読み出してよいし、Ｂｌｕ-ｒａｙディスク等に予め記録されたＣＧＭ情報を読み込んでも良い。
【００２６】
図３は、ＣＧＭ情報取得手段２０５が受信するＣＧＭ情報３００の一例を表す図である。本実施の形態では、本編の映像コンテンツ（以下本編コンテンツと称す）に対応づけられる付加コンテンツの集合と対応付けるべき本編コンテンツを特定するための情報を含んだ情報をＣＧＭ情報と呼ぶが、本編コンテンツ自身もＣＧＭ情報に含めるようにしても構わない。
【００２７】
図に示すＣＧＭ情報３００には、ＣＧＭ情報を本編コンテンツに対応づけるための本編コンテンツＩＤ３００ｂと、付加コンテンツ３００ａが含まれる。本編コンテンツＩＤ３００ｂは、例えば、映像コンテンツ再生手段２０１がＢｌｕ−ｒａｙ Ｄｉｓｃに収録された映像コンテンツを再生するよう構成されている場合には、映像コンテンツ再生手段２０１が再生しようとしているディスクを識別できる情報が該当する。
【００２８】
尚、本編コンテンツＩＤは、映像コンテンツ再生手段２０１がインターネット上のサーバから本編コンテンツをストリーミング再生するよう構成されている場合で、本編コンテンツと同時にＣＧＭ情報をダウンロードするため、本編コンテンツとＣＧＭ情報との対応関係を明示する必要がない場合には本編コンテンツＩＤを省略してもよい。
【００２９】
尚、本実施の形態では本編コンテンツＩＤ３００ｂのデータ構造として１６進数の数字を用いているが、本編コンテンツＩＤ３００ｂのデータ構造これに限る物ではない。ＣＧＭサービス提供者が、本編コンテンツを一意に特定できるものであれば任意のデータ構造で表現可能である。
【００３０】
付加コンテンツ３００ａのうち、列３０１は、付加コンテンツがどのような種類のデータかを示すメディアタイプ（映像、画像、文字列、サウンド等）である。列３０２は、付加コンテンツが保存されているファイル名を表す。列３０３，列３０４は、付加コンテンツを表示するタイミング本編コンテンツの再生時間で表している。例えば、行３１０の付加コンテンツの場合、本編コンテンツの再生時間が００：１２：３４〜００：２３：４５までの間この付加コンテンツを再生することを意味している。列３０５はこの付加コンテンツを投稿した利用者のＩＤを表す。
【００３１】
本実施の形態ではＣＧＭ情報３００ａをテーブルの形で表現しているが、もちろんこれはＣＧＭ情報の記述形式の一例であり、これがその他どのような記述形式であっても構わない。各実施の形態におけるＣＧＭ情報の記述例はその属性名など全て一例に過ぎず、何らこの形式に限定されるものではない。また、図３では、説明を簡単にするために、全てのメディアタイプに関して、再生開始時刻、再生終了時刻、表示位置の３つの属性しか定義をしていないが、これら以外の属性が指定されても構わない。また、あるメディアタイプにのみ有効な属性が指定されても構わない。例えば、画像データであれば、本編コンテンツに対し、どのように合成するかを指定できてもよい。ここで合成のルールとはＰｏｒｔｅｒ−Ｄｕｆｆ規則等の既存の技術が応用できる。また、文字列データであれば、文字を描画するためフォントやスタイルの指定、色の指定などが含まれていてもよい。また、サウンドデータであれば、再生時の音量やパニングなどの指定があってもよい。
【００３２】
ＣＧＭ情報解析手段２０６は、ＣＧＭ情報取得手段２０５が受信したＣＧＭ情報を解析し、映像コンテンツ再生手段２０１に対して、どのシーンの本編コンテンツを再生すべきかを指示するための手段である。
【００３３】
ＣＧＭ情報再生手段２０７は、ＣＧＭ情報取得手段２０５が受信したＣＧＭ情報に含まれる付加コンテンツを対応する本編コンテンツの再生（図２の例では映像コンテンツ再生手段２０１により行なわれる）に連動するように再生する手段である。例えばＣＧＭ情報再生手段２０７が再生する付加コンテンツと、映像コンテンツ再生手段２０１が再生する本編コンテンツは、上述の合成のルールに従って重ね合わせる合成手段（図示せず）により合成された後、ＴＶ１０３の表示画面に表示される。
【００３４】
次に本発明に係る実施行為のうち、ＣＧＭ情報解析手段２０６によりＣＧＭ情報を解析し、ユーザーが視聴したいと考えるシーンをどのようにして選択的に再生するかに関し説明を行う。
【００３５】
選択方法は複数の形態が考えられる。以下それらについて説明を行う。
【００３６】
形態（１）  ＣＧＭ情報解析手段２０６は、単位時間あたりに多くのＣＧＭ情報が集中しているシーンのみを再生することができる。単位時間に多くのＣＧＭ情報が集中しているということは、それだけ多くのユーザーがそのシーンに着目していると考えられるため、このようなシーンを選択的に視聴できることは、視聴者にとって有益である。
【００３７】
図４に、所定の時間あたりに所定の個数以上の付加コンテンツが付与されているシーンを選択的に再生する際の、ＣＧＭ情報解析手段２０６のフローチャートを示す。
【００３８】
まず、ＣＧＭ情報３００を検索し、未再生の付加コンテンツから付加コンテンツ輻輳状態を検索する（ステップＳ４０１）。ここで付加コンテンツ輻輳状態とは、所定の時間間隔内に所定の個数以上の付加コンテンツが再生される状態を表す。例えば、所定の時間間隔を１分、所定の個数を２つとすると、付加コンテンツ３１０と付加コンテンツ３２０はこの条件を満たすために付加コンテンツ輻輳状態であるが、付加コンテンツ３２０と付加コンテンツ３３０は条件を満たさないため付加コンテンツ輻輳状態ではない。ステップＳ４０１ではこのような付加コンテンツ輻輳状態のうち、最も再生開始時刻３０３が早いもの（この例では付加コンテンツ３１０）が変数Ｄａｔａ１に、最も再生終了時刻３０４が遅いもの（この例では付加コンテンツ３２０）が変数Ｄａｔａ２へ代入される。ステップＳ４０１の結果、該当する付加コンテンツ輻輳状態が存在しなかった場合（つまりＤａｔａ１およびＤａｔａ２がともに“ｎｕｌｌ”）には（ステップＳ４０２）、ＣＧＭ情報解析手段２０６は、映像コンテンツ再生手段２０１に再生の停止を要求する（ステップＳ４０６）。
【００３９】
ステップＳ４０２において、ステップＳ４０２で付加コンテンツ輻輳状態が存在した場合には、ＣＧＭ情報解析手段２０６は、Ｄａｔａ１の列３０３で指定される再生開始時刻から、本編コンテンツを再生するよう映像コンテンツ再生手段２０１へ指示する（ステップＳ４０３）。また、ＣＧＭ情報解析手段２０６は、ＣＧＭ情報再生手段へＤａｔａ１からＤａｔａ２の全ての付加コンテンツを再生するよう指示する（ステップＳ４０４）。そして、映像コンテンツ再生手段２０１が再生する時刻が、Ｄａｔａ２の列３０４で指定される再生終了時刻に到達するまで待ち、ステップＳ４０１へ戻る（ステップＳ４０５）。
【００４０】
以上のように構成することにより、所定の時間内に、所定の回数以上の付加コンテンツが付与されたシーンを選択的に再生することができる。
【００４１】
尚、上記の例では所定の時間を１分、所定の個数を２つ以上としたが、これ以外の任意の数値であってももちろんよい。また、所定の時間、所定の回数はＣＧＭ情報解析手段２０６に予め組み込まれていてもよいし、ユーザーがセットアップメニュー等を通じて所定の単位、所定の回数を設定できるように構成してもよい。
【００４２】
形態（２）  ＣＧＭ情報解析手段２０６は、特定の情報が含まれるＣＧＭ情報が付与されているシーンのみを再生することができる。例えば、メディアタイプが文字列であるＣＧＭ情報のうち、特定のキーワードが含まれるシーンを選択的に再生することができるため、視聴者は自分にとって興味のあるシーンを選択的に視聴することができる。
【００４３】
図５に、メディアタイプが文字列のＣＧＭ情報のうち、所定のキーワードが含まれる付加コンテンツが付与されているシーンのみを再生する際の、ＣＧＭ情報解析手段２０６のフローチャートを示す。
【００４４】
まず、ＣＧＭ情報３００から、まだ再生されていない付加コンテンツを検索する（ステップＳ５０１）。ステップＳ５０１の結果、全ての付加コンテンツが再生済みであった場合には（ステップＳ５０２）、ＣＧＭ情報解析手段２０６は、映像コンテンツ再生手段２０１に再生の停止を要求する（ステップＳ５０８）。ステップＳ５０２で未再生の付加コンテンツが存在した場合には、その付加コンテンツの列３０１で指示されるデータタイプが文字列かどうかを検査する（ステップＳ５０３）。ステップＳ５０３で文字列であった場合には、その付加コンテンツの列３０２で指定されるファイルに、所定のキーワードが含まれることを検査する（ステップＳ５０４）。ここでキーワードとは任意のある文字列であってもよいし、複数のキーワードの組み合わせ（論理和、論理積）であってもよい。ステップＳ５０３でメディアタイプが文字列でなかった場合、及び、ステップＳ５０４で所定のキーワードが含まれなかった場合には、ステップＳ５０１へ戻る。このとき、当該の付加コンテンツは再生済みとして扱う。ステップ５０４で所定のキーワードが含まれていた場合には、ＣＧＭ情報解析手段２０６は、その付加コンテンツの列３０３で指定される再生開始時刻から、本編コンテンツを再生するよう映像コンテンツ再生手段２０１へ指示する（ステップＳ５０５）。また、ＣＧＭ情報解析手段２０６は、ＣＧＭ情報再生手段へその付加コンテンツを再生するよう指示する（ステップＳ５０６）。そして、映像コンテンツ再生手段２０１が再生する時刻が、その付加コンテンツの列３０４で指定される再生終了時刻に到達するまで待ち、ステップＳ５０１へ戻る（ステップＳ５０７）。
【００４５】
以上のように構成することにより、メディアタイプが文字列の付加コンテンツのうち、所定のキーワードが含まれる付加コンテンツが付与されているシーンのみを再生することができる。
【００４６】
尚、上記の例ではメディアタイプが文字列の付加コンテンツから所定のキーワードを検索したが、文字列以外のメディアタイプであっても特定の条件に一致するものだけを検索するよう構成してもよい。例えば、メディアタイプが画像であるときに、人の顔が含まれる画像のみを検索することが考えられる。顔画像の認識は、デジタルカメラ等で採用されている技術を応用することで実現可能である。
【００４７】
尚、特に条件を指定せずに、あるメディアタイプの付加コンテンツのみを再生するように構成してもよい。
【００４８】
尚、複数の条件の論理和、論理積による組み合わせを用いて再生する付加コンテンツを選択するように構成してもよい。例えば、所定のキーワードを含むメディアタイプが文字列のＣＧＭ情報または、顔画像を含むメディアタイプが画像の付加コンテンツを再生するように構成してもよい。このような条件は、ＣＧＭ情報解析手段２０６に予め組み込まれていてもよいし、ユーザーがセットアップメニューなどを通じて設定するよう構成してもよい。
【００４９】
形態（３）  ＣＧＭ情報解析手段２０６は、特定の人が投稿したＣＧＭ情報のみを再生することができる。ＣＧＭサービスは不特定多数のユーザーが自由に付加コンテンツを投稿するため、ＣＧＭサービスの利用者の中にはユーザーの嗜好と合う人も合わない人もいる。その中で特定の人が投稿した付加コンテンツのみを選択的に再生することは、ユーザーにとって有益である。
【００５０】
図６に、特定の人が投稿したＣＧＭ情報のみを再生する際の、ＣＧＭ情報解析手段２０６のフローチャートを示す。
【００５１】
まず、ＣＧＭ情報３００から、まだ再生されていない付加コンテンツを検索する（ステップＳ６０１）。ステップＳ６０１の結果、全ての付加コンテンツが再生済みであった場合には（ステップＳ６０２）、ＣＧＭ情報解析手段２０６は、映像コンテンツ再生手段２０１に再生の停止を要求する（ステップＳ６０７）。ステップＳ６０２で未再生の付加コンテンツが存在した場合には、その付加コンテンツの列３０５で指示される投稿者が所定のＩＤと一致するかどうかを検査する（ステップＳ６０３）。ここで所定のＩＤとは、セットアップ画面等を通じてユーザーが予め選択したＩＤである。所定のＩＤは単数でもよいし、複数のＩＤの論理和、論理積であってもよい。また、ＣＧＭ情報３００に含まれる投稿者の内、上位Ｎ名をＣＧＭ情報解析手段２０６が選択するように構成してもよい。ここでＮは１以上の自然数である。ステップＳ６０３で付加コンテンツの投稿者が所定のＩＤと一致しないと判断した場合には、ステップＳ６０１へ戻る。このとき、当該の付加コンテンツは再生済みとして扱う。ステップＳ６０３で付加コンテンツの投稿者が所定のＩＤと一致すると判断した場合には、ＣＧＭ情報解析手段２０６は、その、付加コンテンツの列３０３で指定される再生開始時刻から、本編コンテンツを再生するよう映像コンテンツ再生手段２０１へ指示する（ステップＳ６０４）。また、ＣＧＭ情報解析手段２０６は、ＣＧＭ情報再生手段へその付加コンテンツを再生するよう指示する（ステップＳ５０５）。そして、映像コンテンツ再生手段２０１が再生する時刻が、その付加コンテンツの列３０４で指定される再生終了時刻に到達するまで待ち、ステップＳ６０１へ戻る（ステップＳ６０６）。
【００５２】
以上のように構成することにより、特定の人が投稿したＣＧＭ情報のみを再生することができる。
【００５３】
上記のように構成することにより、ユーザーが視聴したいと考えられるシーンのみを選択的に再生することができる。
【００５４】
尚、本実施の形態ではＣＧＭ情報解析手段２０６が、どのシーンを再生するかを制御しているが、ユーザーがリモコン入力で直接意志表示をする方法も考えられる。この場合、ユーザーがリモコンのスキップ再生のボタンを押した場合には次のシーンへジャンプしてもよい。これは具体的には、図４のステップＳ４０５、図５のステップ５０７、図６のステップＳ６０６において、スキップ再生のボタンが押された場合に所定の時刻まで動作を待たずに速やかに次ぎのステップへ移ることで実現できる。また、ユーザーがリモコンの逆スキップ再生のボタンを押した場合には一つ前のシーンへジャンプしてもよい。これは具体的には、図４のステップＳ４０５、図５のステップ５０７、図６のステップＳ６０６において、逆スキップ再生のボタンが押された場合に、現在再生中の付加コンテンツを未再生の状態にした後、所定の時刻まで動作を待たずに次ぎのステップへ移ることで実現できる。
【００５５】
尚、上記の例では、視聴者が最初から最後まで通しで、特定の付加コンテンツが付与されたシーンを視聴することを想定しているが、同様の仕組みを応用することで、所定の時間内に収まるダイジェスト版を作成することができる。ダイジェスト版にどのシーンを含めるかについては、上記の形態（１）から形態（３）の例を用いて計算することができる。例えば、形態（１）の場合、付加コンテンツ輻輳状態にある付加コンテンツのうち、単位時間あたりの付加コンテンツ数が大きな順に、再生時間が所定の時間内に収まる様に選択することで実現できる。形態（２）、形態（３）の場合も同様のアルゴリズムで実現できる。
【００５６】
（実施の形態２）
前述の実施の形態とは異なる構成を持つ、実現可能な別の実施の形態について説明する。但し、本構成の一部は、先の実施の形態で説明したものと同じであるため、その部分は省略して説明を進める。
【００５７】
まず本発明に係る実施行為のうち、使用時の構成の例についての説明を行なう。図７は、本発明に示した方式を実現するための機能構成を示した図である。映像コンテンツ再生手段７０１からＣＧＭ情報再生手段７０７は、実施の形態１における映像コンテンツ再生手段２０１からＣＧＭ情報再生手段２０７と同様であるため、ここではその詳細な説明を省略する。
【００５８】
グループ情報取得手段７０８は端末１０１を操作するユーザーが属するグループ（グループ情報）を取得する手段である。ここで、グループとはユーザーがどのような属性を持っているかを表すもので、同じグループに属するユーザーは、コンテンツの視聴に関して同じような嗜好をもっていると考えられる。グループ情報取得手段７０８は、例えば住んでいる地域や、年齢、性別等の情報をユーザーに入力させ、これらを組み合わせることでグループ情報を得る。
【００５９】
ＣＧＭ再生情報集計手段７０９は、ＣＧＭ情報７０７がどのＣＧＭ情報を何回再生したか（ＣＧＭ再生情報）を集計し記憶する手段である。
【００６０】
次に本実施の形態に係る実施行為のうち、ＣＧＭ取得手段７０５がインターネット上のＣＧＭサーバからＣＧＭ情報を取得する例についての説明を行なう。
【００６１】
ＣＧＭ取得手段７０５は、ＣＧＭサーバへＣＧＭ情報の取得を要求する際に、ＣＧＭ再生情報集計手段７０９によって集計されたＣＧＭ再生情報と、グループ情報取得手段７０８が取得したグループ情報とを関連づけてＣＧＭサーバへ送信する。
【００６２】
ＣＧＭサーバは、各端末から送信されてくるメタ情報を統計的に処理することで、どのようなグループにおいてどのような付加コンテンツの再生頻度が高いかを計算することができる。ＣＧＭサーバはこの計算結果に基づき、ＣＧＭ情報取得手段７０５からＣＧＭ情報の取得要求を受けた際に、端末１０１のユーザーが属するグループにおいて再生頻度の高い順に所定の数のＣＧＭ情報を送信することができる。また、ＣＧＭサーバは端末１０１のユーザーが属するグループにおいて、所定の回数以上再生されている付加コンテンツに関するＣＧＭ情報を全て送信してもよい。このように構成することにより、端末１０１で再生される可能性の低いＣＧＭ情報を送信しないことにより、ＣＧＭサーバと端末１０１間の通信量を削減することができる。
【００６３】
尚、本実施の形態では、グループ情報は、住んでいる地域や、年齢、性別を組み合わせたものであるとしたが、グループ情報の構成はこれに限るものではない。これら３つの情報が含まれていなくてもよいし、これら３つ以外の任意の情報が含まれていてもよい。
【００６４】
尚、本実施の形態では、ＣＧＭ再生情報集計手段７０９が集計したＣＧＭ再生情報はＣＧＭ情報取得手段７０５がＣＧＭ情報の取得要求をＣＧＭサーバへ送信する際に同時に送信するとしたが、ＣＧＭ再生情報送信のタイミングは任意のタイミングでもよい。
【産業上の利用可能性】
【００６５】
本発明を構成する映像コンテンツ再生装置は、他人が投稿した情報をエンドユーザー自身が直接編集し、編集された投稿を再生するユーザー参加型のサービスに利用できる。特に、ユーザーが投稿した映像コンテンツに文字情報、画像、音声といった情報を投稿された映像コンテンツに付加する編集を行い、編集されたコンテンツを他のユーザーが閲覧、再編集できるような装置への利用が可能である。
【図面の簡単な説明】
【００６６】
【図１】本発明の使用行為についての構成の一例を示す図
【図２】本発明を実現するための機能構成の一例を示す図
【図３】本発明で処理されるＣＧＭ情報の一例を示す図
【図４】ＣＧＭ情報解析手段２０６の処理フローの一例を示す図
【図５】ＣＧＭ情報解析手段２０６の処理フローの一例を示す図
【図６】ＣＧＭ情報解析手段２０６の処理フローの一例を示す図
【図７】本発明を実現するための機能構成の一例を示す図
【符号の説明】
【００６７】
１０１    テレビ
１０２    プレイヤー
１０３    リモコン
２０１    映像コンテンツ再生手段
２０２    映像コンテンツ記憶媒体
２０３    映像コンテンツ受信手段
２０４    映像コンテンツ蓄積手段
２０５    ＣＧＭ情報取得手段
２０６    ＣＧＭ情報解析手段
２０７    ＣＧＭ情報再生手段
【図１】
2010010736.tif 000003
【図２】
2010010736.tif 000004
【図３】
2010010736.tif 000005
【図４】
2010010736.tif 000006
【図５】
2010010736.tif 000007
【図６】
2010010736.tif 000008
【図７】
2010010736.tif 000009